(57)【要約】【課題】収容袋の取付け・取外しを容易にして、農作物の収穫効率を高めることができる乗用収穫機を提供すること。【解決手段】乗用収穫機１は、操縦席２５に人が搭乗して走行する収穫機車両２、収穫機車両２の前方Ｆに設けられた昇降ブーム２１、農作物８を刈り取る刈取刃６１を有する刈取刃ユニット６、及び刈取刃ユニット６を昇降ブーム２１に着脱可能に取り付ける取付ブラケット３を備えている。取付ブラケット３は、収穫機車両２を後退させるときに収穫用空間Ｓを通過した農作物８を刈取刃６１によって刈り取る向きで、刈取刃ユニット６を昇降ブーム２１に取り付ける構造を有している。【選択図】図１
0003191750.tif 000002
【実用新案登録請求の範囲】
【請求項１】
車体下部に収穫用空間を形成して左右に設けられた複数の車輪を有し、操縦席に人が搭乗して走行するよう構成された収穫機車両と、
該収穫機車両の前方に設けられ、上記操縦席から昇降操作可能な昇降ブームと、
農作物を刈り取る刈取刃、該刈取刃に農作物を刈り取るための動力を付与する動力源、及び上記刈取刃によって刈り取られた農作物を該刈取刃から吹き飛ばすエアブローを有する刈取刃ユニットと、
該刈取刃ユニットを上記昇降ブームに着脱可能に取り付けるための取付ブラケットと、を備え、
該取付ブラケットは、上記収穫機車両を後退させるときに上記収穫用空間を通過した農作物を上記刈取刃によって刈り取る向きで、上記刈取刃ユニットを上記昇降ブームに取り付ける構造を有していることを特徴とする乗用収穫機。
【請求項２】
上記取付ブラケットは、上記刈取刃ユニットに取り付けられたユニット側ブラケットと、上記昇降ブームに取り付けられたブーム側ブラケットとから構成されており、
上記ユニット側ブラケットは、上記ブーム側ブラケットに載置された状態で、該ブーム側ブラケットに締結具によって固定されるよう構成されており、
上記ユニット側ブラケット又は上記ブーム側ブラケットには、上記昇降ブームに対する上記刈取刃ユニットの高さ位置を可変可能な可変機構部が設けられていることを特徴とする請求項１に記載の乗用収穫機。
【請求項３】
上記ブーム側ブラケットには、上記収穫用空間を通過する農作物を上記刈取刃へ案内するための案内部が左右一対に設けられており、
該左右一対の案内部における、左右方向の内側に向けられた案内面の間隔は、上記収穫機車両の前方に行くに連れて狭くなっていることを特徴とする請求項１又は２に記載の乗用収穫機。
【考案の詳細な説明】
【技術分野】
【０００１】
本考案は、収穫機車両の昇降ブームに刈取刃ユニットを取り付けて構成された乗用収穫機に関する。
【背景技術】
【０００２】
野菜、茶葉等の農作物を刈り取って収穫する収穫機又は管理機としては、人が搭乗して移動する乗用タイプのもの、人が歩行しながら移動させる自走タイプのもの等がある。乗用タイプの収穫機又は管理機は、人が搭乗して移動する際に、刈取刃によって刈り取られた農作物を、エアブローによって吹き飛ばして収容袋に収容している。
例えば、特許文献１の走行型茶園管理機においては、２本の走行装置が門型枠によって繋がれ門型枠の下方に摘採装置が設けられた茶園走行機体を、茶畝に沿って走行させながら茶芽を摘採することが開示されている。摘採装置は、バリカン型の摘採刃と、摘採刃によって摘採される茶芽を吹き飛ばす吹出ダクトとを有している。そして、摘採刃によって摘採され吹出ダクトによって吹き飛ばされる茶芽を、茶袋の中へ収容することが行われている。
【先行技術文献】
【特許文献】
【０００３】
【特許文献１】特開２００４−１２１１０５号公報
【考案の概要】
【考案が解決しようとする課題】
【０００４】
しかしながら、特許文献１の走行型茶園管理機等に代表される従来の管理機又は収穫機は、機体を前進させるときに茶芽を刈り取って収容するものである。そして、刈り取られた茶芽は、機体の下方又は機体の内部に配置された茶袋の中に収容される。そのため、特に、茶芽が収容された茶袋を機体の下方又は機体の内部から外部へ取り出す際に手間がかかる。
【０００５】
本考案は、かかる背景に鑑みてなされたもので、収容袋の取付け・取外しを容易にして、農作物の収穫効率を高めることができる乗用収穫機を提供しようとして得られたものである。
【課題を解決するための手段】
【０００６】
本考案の一態様は、車体下部に収穫用空間を形成して左右に設けられた複数の車輪を有し、操縦席に人が搭乗して走行するよう構成された収穫機車両と、
該収穫機車両の前方に設けられ、上記操縦席から昇降操作可能な昇降ブームと、
農作物を刈り取る刈取刃、該刈取刃に農作物を刈り取るための動力を付与する動力源、及び上記刈取刃によって刈り取られた農作物を該刈取刃から吹き飛ばすエアブローを有する刈取刃ユニットと、
該刈取刃ユニットを上記昇降ブームに着脱可能に取り付けるための取付ブラケットと、を備え、
該取付ブラケットは、上記収穫機車両を後退させるときに上記収穫用空間を通過した農作物を上記刈取刃によって刈り取る向きで、上記刈取刃ユニットを上記昇降ブームに取り付ける構造を有していることを特徴とする乗用収穫機にある。
【考案の効果】
【０００７】
上記乗用収穫機は、収穫機車両の昇降ブームに対して刈取刃ユニットを着脱可能に取り付ける取付ブラケットの構造によって、空の収容袋の取付け、及び収穫後の収容袋の取外しを容易にしたものである。
刈取刃ユニットは、収穫機車両を後退させるときに野菜、茶葉等の農作物を刈り取る向きで、取付ブラケットによって昇降ブームに着脱可能に取り付けられる。また、刈り取られた農作物が収容される収容袋は、取付ブラケット及び刈取刃ユニットの少なくとも一方に取り付けられる。
【０００８】
そして、操縦席に搭乗した人の操作によって乗用収穫機が後退する際には、収穫用空間を通過した農作物が刈取刃ユニットの刈取刃によって刈り取られ、刈り取られた農作物がエアブローによって吹き飛ばされて収容袋に収容される。このとき、収容袋は、収穫機車両の前方に配置されている。そのため、刈り取られた農作物が収容された収容袋を、取付ブラケット及び刈取刃ユニットの少なくとも一方から取り外すときには、この収容袋の取外しを容易にすることができる。また、収穫機車両の前方において、取付ブラケット及び刈取刃ユニットの少なくとも一方へ空の収容袋を取り付けることができ、この取付けも容易にすることができる。
それ故、上記乗用収穫機によれば、収容袋の取付け・取外しを容易にして、農作物の収穫効率を高めることができる。
【図面の簡単な説明】
【０００９】
【図１】実施例にかかる、乗用収穫機を側方から見た状態で示す説明図。
【図２】実施例にかかる、乗用収穫機を前方から見た状態で示す説明図。
【図３】実施例にかかる、刈取刃ユニットが取り付けられる取付ブラケットを示す斜視図。
【図４】実施例にかかる、ブーム側ブラケットからユニット側ブラケット及び刈取刃ユニットを取り外した状態の取付ブラケットを示す斜視図。
【図５】実施例にかかる、ブーム側ブラケット及び第２ブラケット部から第１ブラケット部及び刈取刃ユニットを取り外した状態を示す斜視図。
【図６】実施例にかかる、刈取刃ユニットが取り付けられた第１ブラケット部を、ブーム側ブラケットに取り付けられた第２ブラケット部に対して昇降可能にする可変機構部を側方から見た状態で示す説明図。
【考案を実施するための形態】
【００１０】
上述した乗用収穫機における好ましい実施の形態について説明する。
上記乗用収穫機においては、上記取付ブラケットは、上記刈取刃ユニットに取り付けられたユニット側ブラケットと、上記昇降ブームに取り付けられたブーム側ブラケットとから構成されており、上記ユニット側ブラケットは、上記ブーム側ブラケットに載置された状態で、該ブーム側ブラケットに締結具によって固定されるよう構成されており、上記ユニット側ブラケット又は上記ブーム側ブラケットには、上記昇降ブームに対する上記刈取刃ユニットの高さ位置を可変可能な可変機構部が設けられていてもよい。
【００１１】
この場合には、刈取刃ユニットが取り付けられたユニット側ブラケットが、昇降ブームに取り付けられたブーム側ブラケットに載置された状態で、締結具による固定及び固定の解除を行うことができる。そのため、刈取刃ユニットの着脱操作を一層容易にすることができる。
また、可変機構部によって、昇降ブームに対する刈取刃ユニットの高さ位置が可変可能であることにより、刈取刃ユニットによる刈取り高さの範囲を、昇降ブームの昇降による可変高さ範囲に加えて、可変機構部による可変高さ範囲も含めた範囲とすることができる。これにより、刈取刃によって刈取り可能な高さの範囲を拡大することができ、収穫する農作物の多様化を図ることができる。
【００１２】
また、上記ブーム側ブラケットには、上記収穫用空間を通過する農作物を上記刈取刃へ案内するための案内部が左右一対に設けられており、該左右一対の案内部における、左右方向の内側に向けられた案内面の間隔は、上記収穫機車両の前方に行くに連れて狭くなっていてもよい。
この場合には、案内部によって、収穫用空間を通過する農作物を効果的に刈取刃へ案内することができ、農作物の収穫効率をさらに高めることができる。
【実施例】
【００１３】
以下に、乗用収穫機にかかる実施例について、図面を参照して説明する。
本例の乗用収穫機１は、図１、図２に示すように、収穫機車両２、昇降ブーム２１、刈取刃ユニット６及び取付ブラケット３を備えている。収穫機車両２は、車体下部２２１に収穫用空間Ｓを形成して左右に設けられた複数の車輪２４を有しており、操縦席２５に人が搭乗して走行するよう構成されている。昇降ブーム２１は、収穫機車両２の前方Ｆに設けられており、操縦席２５から昇降操作可能である。
【００１４】
図３〜図５に示すように、刈取刃ユニット６は、農作物８を刈り取る刈取刃６１と、刈取刃６１に農作物８を刈り取るための動力を付与する動力源６２と、刈取刃６１によって刈り取られた農作物８を刈取刃６１から吹き飛ばすエアブロー６３とを有している。取付ブラケット３は、刈取刃ユニット６を昇降ブーム２１に着脱可能に取り付けるものである。取付ブラケット３は、収穫機車両２を後退させるときに収穫用空間Ｓを通過した農作物８を刈取刃６１によって刈り取る向きで、刈取刃ユニット６を昇降ブーム２１に取り付ける構造を有している。図１において、乗用収穫機１が農作物８を刈り取る際の進行方向を符号Ｒによって示す。
【００１５】
以下に、本例の乗用収穫機１について、図１〜図６を参照して詳説する。
本例の乗用収穫機１は、既存の収穫機車両２に対しても、取付ブラケット３を介して刈取刃ユニット６を取り付けることができるものである。
図１、図２に示すように、収穫機車両２は、管理機とも呼ばれる車両である。収穫機車両２は、野菜、茶葉等の農作物８の畝を跨いで走行できるよう、操縦席２５が設けられた本体部２２から下方へ、車輪２４を取り付けるための車輪用フレーム２３を有している。収穫用空間Ｓは、本体部２２の下方（車体下部２２１）であって左右の車輪２４の間に形成されている。収穫機車両２の操縦席２５には、走行ハンドル２５１、アクセル、ブレーキ等が設けられている。また、操縦席２５には、刈取刃ユニット６の刈取刃６１、エアブロー６３等の動作及び動作の停止を行うための操作部２５２が設けられている。
【００１６】
収穫機車両２は、キャタピラ構造を有しておらず、４ＷＤ（四輪駆動）及び４ＷＳ（四輪操舵）の機構による複数の車輪２４を有している。この複数の車輪２４を有する構造により、収穫機車両２は、刈取りを行う際の方向転換が容易であり、地形に段差があっても柔軟に対応することができる。
昇降ブーム２１は、左右に設けられたアーム部２１１をシリンダー（図示略）によって回動させて、アーム部２１１の先端部を昇降させるよう構成されている。刈取刃ユニット６は、昇降ブーム２１におけるアーム部２１１の先端部に取付ブラケット３を介して取り付けられている。
【００１７】
図５に示すように、刈取刃ユニット６の刈取刃６１は、横に並ぶ複数の切刃６１１をスライドさせて農作物８を刈り取るバリカン式のものである。刈取刃ユニット６の動力源６２はエンジンであり、エンジンの横には燃料タンク６２１が設けられている。エアブロー６３は、エアの吐出口を有する複数のノズル部６３１によって構成されており、複数のノズル部６３１は、刈取刃６１の複数の切刃６１１が並ぶ方向に沿って配置されている。また、刈取刃６１及びエアブロー６３は、刈り取られた農作物８が通過する、刈取刃ユニット６の通過口６４内に配置されている。なお、図３〜図５において、刈取刃６１及びエアブロー６３は適宜省略して示す。
【００１８】
図３に示すように、取付ブラケット３は、刈取刃ユニット６に取り付けられたユニット側ブラケット４と、昇降ブーム２１に取り付けられたブーム側ブラケット５とから構成されている。ユニット側ブラケット４には、昇降ブーム２１に対する刈取刃ユニット６の高さ位置を可変可能な可変機構部４３が設けられている。本例の可変機構部４３は、ブーム側ブラケット５に係合させるために、ユニット側ブラケット４の上下の複数箇所（本例では２箇所）に設けられた係合部４３１によって構成されている。また、係合部４３１は、ブーム側ブラケット５に対して上方から嵌り込むフック形状に形成されている。係合部４３１によって、ユニット側ブラケット４がブーム側ブラケット５に載置された状態が維持される。そして、ユニット側ブラケット４は、ブーム側ブラケット５に載置された状態で、ブーム側ブラケット５に締結具としてのネジ（図示略）によって固定される。なお、図３においては、刈取刃ユニット６を二点鎖線で示す。
【００１９】
ユニット側ブラケット４は、刈取刃ユニット６に取り付けられた第１ブラケット部４１と、第１ブラケット部４１に着脱可能な第２ブラケット部４２とによって構成されている。第１ブラケット部４１には、左右一対の差込穴４１１が設けられており、第２ブラケット部４２には、左右一対の差込穴４１１に水平方向から差し込まれる左右一対の差込部４２１が設けられている。なお、第１ブラケット部４１に差込部４２１が設けられ、第２ブラケット部４２に差込穴４１１が設けられていてもよい。
刈取刃ユニット６における燃料タンク６２１に燃料を入れる際には、図５に示すように、刈取刃ユニット６が取り付けられた第１ブラケット部４１を第２ブラケット部４２から取り外す。そして、燃料タンク６２１の上方に障害物がない状態で、燃料タンク６２１に燃料を入れることができる。
【００２０】
また、図３に示すように、取付ブラケット３においては、ブーム側ブラケット５に第２ブラケット部４２が締結具としてのネジ（図示略）によって固定され、第２ブラケット部４２に第１ブラケット部４１が締結具としてのネジ（図示略）によって固定される。
ブーム側ブラケット５には、収穫用空間Ｓを通過する農作物８を刈取刃６１へ案内するための案内部５１が左右一対に設けられている。左右一対の案内部５１における、左右方向の内側に向けられた案内面５１０の間隔は、収穫機車両２の前方Ｆに行くに連れて狭くなっている。案内部５１は、三角形状に形成されたフレーム部５１１の下端部に、プラスチック製の案内ヒレ部５１２を設けて形成されている。案内部５１によって、収穫用空間Ｓを通過する農作物８を効果的に刈取刃６１へ案内することができ、刈取刃６１による刈取り効率を高めることができる。
【００２１】
図１に示すように、ユニット側ブラケット４及び刈取刃ユニット６の少なくとも一方には、刈取刃６１によって刈り取られ、エアブロー６３によって吹き飛ばされる農作物８が収容される収容袋７の取付けが可能である。収容袋７は、乗用収穫機１によって農作物８の刈取りがなされる際に、収穫機車両２の後方に開口部７１を向けた状態で、刈取刃ユニット６から収穫機車両２の前方Ｆに向けて配置される。
【００２２】
また、図６に示すように、可変機構部４３は、刈取刃ユニット６が取り付けられた第１ブラケット部４１を、ブーム側ブラケット５に取り付けられた第２ブラケット部４２に対して昇降可能にすることによって構成することもできる。具体的には、第１ブラケット部４１にボールネジ４３２を設け、第２ブラケット部４２に、ボールネジ４３２に螺合するナット４３３を回転可能に設ける。また、ブーム側ブラケット５に対する第１ブラケット部４１の回り止めを行っておく。そして、ナット４３３に設けられたハンドル４３４を回転させることによって、ナット４３３に対してボールネジ４３２が相対的に移動し、第２ブラケット部４２に対して第１ブラケット部４１を昇降させることができる。
なお、第１ブラケット部４１にナット４３３を設け、第２ブラケット部４２にボールネジ４３２を設けてもよい。
【００２３】
本例の乗用収穫機１は、収穫機車両２の昇降ブームに対して刈取刃ユニット６を着脱可能に取り付ける取付ブラケット３の構造によって、空の収容袋７の取付け、及び収穫後の収容袋７の取外しを容易にしたものである。
刈取刃ユニット６は、収穫機車両２を後退させるときに農作物８を刈り取る向きで、取付ブラケット３によって昇降ブーム２１に着脱可能に取り付けられる。また、刈り取られた農作物８が収容される収容袋７は、ユニット側ブラケット４及び刈取刃ユニット６の少なくとも一方に取り付けられ、刈取刃ユニット６から収穫機車両２の前方Ｆに向けて配置される。
【００２４】
そして、図１に示すように、操縦席２５に搭乗した人の操作によって乗用収穫機１が後退する際には、収穫用空間Ｓを通過した農作物８が刈取刃ユニット６の刈取刃６１によって刈り取られ、刈り取られた農作物８がエアブロー６３によって吹き飛ばされて収容袋７に収容される。このとき、収容袋７は、収穫機車両２の前方Ｆに配置されている。そのため、刈り取られた農作物８が収容された収容袋７を、ユニット側ブラケット４及び刈取刃ユニット６の少なくとも一方から取り外すときには、この収容袋７の取外しを容易にすることができる。また、収穫機車両２の前方Ｆにおいて、ユニット側ブラケット４及び刈取刃ユニット６の少なくとも一方へ空の収容袋７を取り付けることができ、この取付けも容易にすることができる。
【００２５】
また、可変機構部４３によって、昇降ブーム２１に対する刈取刃ユニット６の高さ位置が可変可能であることにより、刈取刃ユニット６による刈取り高さの範囲を、昇降ブーム２１の昇降による可変高さ範囲に加えて、可変機構部４３による可変高さ範囲も含めた範囲とすることができる。また、可変機構部４３による刈取り高さの調整により、地面から３０ｍｍ程度の低い位置での刈取りを可能にすることができる。可変機構部４３の構成により、刈取刃６１によって刈取り可能な高さ範囲を拡大することができ、収穫する農作物８の多様化を図ることができる。
【００２６】
本例の乗用収穫機１によれば、例えば、収穫時の丈がそれぞれ異なるホウレン草、春菊、菜の花、赤しそ、茶葉等の刈取りをすることができる。そして、刈取刃６１の調整が可能な刈取り高さの範囲は、例えば、地上から３０ｍｍの高さから地上から１０００ｍｍの高さまでの広範囲とすることができる。
それ故、本例の乗用収穫機１によれば、収容袋７の取付け・取外しを容易にして、農作物８の収穫効率を高めることができ、刈取刃６１によって刈取り可能な高さの範囲を拡大して、収穫する農作物８の多様化を図ることができる。
【符号の説明】
【００２７】
１  乗用収穫機
２  収穫機車両
２１  昇降ブーム
２４  車輪
３  取付ブラケット
４  ユニット側ブラケット
４３  可変機構部
５  ブーム側ブラケット
５１  案内部
６  刈取刃ユニット
６１  刈取刃
６２  動力源
６３  エアブロー
７  収容袋
８  農作物
Ｓ  収穫用空間
【図１】
0003191750.tif 000003
【図２】
0003191750.tif 000004
【図３】
0003191750.tif 000005
【図４】
0003191750.tif 000006
【図５】
0003191750.tif 000007
【図６】
0003191750.tif 000008
【手続補正書】
【提出日】平成26年5月7日(2014.5.7)
【手続補正１】
【補正対象書類名】実用新案登録請求の範囲
【補正対象項目名】全文
【補正方法】変更
【補正の内容】
【実用新案登録請求の範囲】
【請求項１】
車体下部に収穫用空間を形成して左右に設けられた複数の車輪を有し、操縦席に人が搭乗して走行するよう構成された収穫機車両と、
該収穫機車両の前方に設けられ、上記操縦席から昇降操作可能な昇降ブームと、
農作物を刈り取る刈取刃、該刈取刃に農作物を刈り取るための動力を付与する動力源、及び上記刈取刃によって刈り取られた農作物を該刈取刃から吹き飛ばすエアブローを有する刈取刃ユニットと、
該刈取刃ユニットを上記昇降ブームに着脱可能に取り付けるための取付ブラケットと、を備え、
該取付ブラケットは、上記収穫機車両を後退させるときに上記収穫用空間を通過した農作物を上記刈取刃によって刈り取る向きで、上記刈取刃ユニットを上記昇降ブームに取り付ける構造を有していることを特徴とする乗用収穫機。
【請求項２】
上記取付ブラケットは、上記刈取刃ユニットに取り付けられたユニット側ブラケットと、上記昇降ブームに取り付けられたブーム側ブラケットとから構成されており、
上記ユニット側ブラケットは、上記ブーム側ブラケットに載置された状態で、該ブーム側ブラケットに締結具によって固定されるよう構成されており、
上記ユニット側ブラケット又は上記ブーム側ブラケットには、上記昇降ブームに対する上記刈取刃ユニットの高さ位置を可変可能な可変機構部が設けられていることを特徴とする請求項１に記載の乗用収穫機。
【請求項３】
上記ブーム側ブラケットには、上記収穫用空間を通過する農作物を上記刈取刃へ案内するための案内部が左右一対に設けられており、
該左右一対の案内部における、左右方向の内側に向けられた案内面の間隔は、上記収穫機車両の前方に行くに連れて狭くなっていることを特徴とする請求項２に記載の乗用収穫機。